(57)【要約】【課題】大バルクハウゼン効果を利用して磁性体を検知するシステムにおいて、磁性体同士を識別できる間隔を小さくする。【解決手段】検知ゲート装置１０は、大バルクハウゼン効果を有する磁性体がゲートの進入口と退出口との間の励磁領域内に存在する場合に、前記磁性体の磁化反転を誘起する励磁コイル１２と、前記磁性体が前記励磁領域内の一部分である検知領域内に存在する場合に、前記磁性体の磁化反転を検知する検知コイル１４と、を備え、前記励磁コイル１２と前記検知コイル１４とは、前記検知領域の前記進入口側に前記励磁領域内であって前記検知領域に含まれない部分が存在する位置関係で配設されている、ことを特徴とする。【選択図】図２
2011028357.tif 000002
【特許請求の範囲】
【請求項１】
大バルクハウゼン効果を有する磁性体がゲートの進入口と退出口との間の励磁領域内に存在する場合に、前記磁性体の磁化反転を誘起する励磁手段と、
前記磁性体が前記励磁領域内の一部分である検知領域内に存在する場合に、前記磁性体の磁化反転を検知する検知手段と、
を備え、
前記励磁手段と前記検知手段とは、前記検知領域の前記進入口側に前記励磁領域内であって前記検知領域に含まれない部分が存在する位置関係で配設されている、
ことを特徴とする検知ゲート装置。
【請求項２】
さらに、
前記進入口に設けられた進入センサーと、
前記退出口に設けられた退出センサーと、
前記進入センサーによる検知および前記検知手段による検知に応じて、前記励磁領域を撮影する撮影手段と、
前記撮影手段により撮影された画像を、前記進入センサーによる検知および前記検知手段による検知のいずれに応じて撮影された画像であるかと、撮影された順序と、を識別できる状態で記憶する画像記憶手段と、
前記画像記憶手段に記憶された画像およびその順序に基づいて、前記磁性体を備えた物品を所持して前記ゲートを通過した所持者を特定する所持者特定手段と、
を備え、
前記検知手段は、前記検知領域内で生じた磁化反転を検知して信号を出力する検知コイルと、前記検知コイルが出力した信号を信号処理して磁性体の磁化反転を検出する信号処理手段と、前記退出センサーによる検知に応じて前記信号処理手段を一時的にリセットするリセット手段と、を備える、
ことを特徴とする請求項１に記載の検知ゲート装置。
【発明の詳細な説明】
【技術分野】
【０００１】
本発明は、検知ゲート装置に関する。
【背景技術】
【０００２】
通過者を検知するセンサーの検知信号と連動して監視カメラにより通過者画像を記録する物品持出しを監視するゲートシステムが知られている。例えば、通過者が物品タグを有する物品を所持している場合、センサーが物品タグからの信号を検知し、このときセンサーが発する検知信号が監視カメラの画像取り込みのトリガー信号となる。これにより、検知時の通過者画像を取り込むことができる。しかし、通過者の通過速度が速い場合、検知時の画像に通過者が映っていないことがあった。また、ゲート内に続けて２人が連続して進入したとき（以下、「共連れ」という）、物品タグを有する物品を持っていない人の画像が取り込まれる恐れもあった。これを避けるために、前の人が通ったら、後の人の進入をバーで防止し、ひとりひとりを分離して通過させる方法がある。しかし、この方法は、バーが必要であり装置が大がかりになり、しかも通過速度を制限することになり、待ち行列ができることもある。一方、常時、動画像を連続で記録する方法もあるが、記憶容量が膨大になり、コストアップにつながり、共連れにも対応できなかった。
【０００３】
共連れ防止のための技術として、特許文献１が知られている。この文献のシステムは、ステレオ画像処理方式を利用している。このシステムは、ステレオ画像処理によりゲートを通過する人数を計測する機能と、認証者を認証する認証機能を有するコントローラとを備えている。
【０００４】
画像を記録するゲートシステムとしては、この他に特許文献２〜４に開示されるものも知られている。
【０００５】
また、特許文献５、６には、機密文書に対して大バルクハウゼン効果を有する磁性ワイヤーを付加し、人がゲートを通過する際に、その人が機密文書を携帯しているか否かを大バルクハウゼン効果により検知するゲートシステムが開示されている。
【先行技術文献】
【特許文献】
【０００６】
【特許文献１】特開２００８−０５９１７９号公報
【特許文献２】特開２００７−１２８３９０号公報
【特許文献３】特開２００６−０７９２７０号公報
【特許文献４】特開２００３−００９１３７号公報
【特許文献５】特開２００８−０６５４４９号公報
【特許文献６】特開２００８−０３２５３８号公報
【発明の概要】
【発明が解決しようとする課題】
【０００７】
ユーザが持つ磁性体タグを大バルクハウゼン効果により検知するシステムでは、検知ゲートの励磁領域と検知領域が同じ場合、ゲート内に立て続けにタグを有する２人が進入する際（共連れ）、磁性体タグの励磁（磁化反転）と検知に要する時間より２人の進入の時間間隔が短いと、１人目のタグの検知が間に合わないまま２人目が検知領域に進入することとなり、タグが検知されてもどちらがタグを持っていたか分からない（２人のタグが切り分けて検知できない）という問題がある。
【０００８】
本発明は、大バルクハウゼン効果を利用して磁性体を検知するシステムにおいて、本発明を用いない場合よりも、磁性体同士を識別できる間隔を小さくできるようにすることを目的とする。
【課題を解決するための手段】
【０００９】
請求項１に係る発明は、大バルクハウゼン効果を有する磁性体がゲートの進入口と退出口との間の励磁領域内に存在する場合に、前記磁性体の磁化反転を誘起する励磁手段と、前記磁性体が前記励磁領域内の一部分である検知領域内に存在する場合に、前記磁性体の磁化反転を検知する検知手段と、を備え、前記励磁手段と前記検知手段とは、前記検知領域の前記進入口側に前記励磁領域内であって前記検知領域に含まれない部分が存在する位置関係で配設されている、ことを特徴とする検知ゲート装置である。
【００１０】
請求項２に係る発明は、さらに、前記進入口に設けられた進入センサーと、前記退出口に設けられた退出センサーと、前記進入センサーによる検知および前記検知手段による検知に応じて、前記励磁領域を撮影する撮影手段と、前記撮影手段により撮影された画像を、前記進入センサーによる検知および前記検知手段による検知のいずれに応じて撮影された画像であるかと、撮影された順序と、を識別できる状態で記憶する画像記憶手段と、前記画像記憶手段に記憶された画像およびその順序に基づいて、前記磁性体を備えた物品を所持して前記ゲートを通過した所持者を特定する所持者特定手段と、を備え、前記検知手段は、前記検知領域内で生じた磁化反転を検知して信号を出力する検知コイルと、前記検知コイルが出力した信号を信号処理して磁性体の磁化反転を検出する信号処理手段と、前記退出センサーによる検知に応じて前記信号処理手段を一時的にリセットするリセット手段と、を備える、ことを特徴とする請求項１に記載の検知ゲート装置である。
【発明の効果】
【００１１】
請求項１に係る発明によれば、大バルクハウゼン効果を利用して磁性体を検知するシステムにおいて、本発明を用いない場合よりも、磁性体同士を識別できる間隔を小さくできるようにすることができる。
【００１２】
請求項２に係る発明によれば、先行する人が励磁領域を退出する前に後続の人が励磁領域に進入する状況が混在していても、磁性体を保有する人物を特定することができる。
【図面の簡単な説明】
【００１３】
【図１】実施の形態の監視システムの構成例を示す図である。
【図２】実施の形態の検知ゲート装置が備える励磁コイルと検知コイルの配置構成の例を示す図である。
【図３】検知領域内で共連れ状態で撮影される場合の例を示す図である。
【図４】所持者特定装置の処理手順の一例を示すフローチャートである。
【発明を実施するための形態】
【００１４】
この実施の形態の検知ゲート装置を備えた監視システムの一例を、図１を参照して説明する。
【００１５】
図１に示すように、このシステムは、検知ゲート装置１０、監視カメラ３０、検知信号処理装置４０、画像蓄積装置５０、及び所持者特定装置６０を備える。ここでは、通過者は、磁性ワイヤー等の大バルクハウゼン効果を有する磁性体が付加された物品（例えば磁性ワイヤーが漉き込まれたセキュリティペーパーなど）を携帯して検知ゲート装置１０を通過することを想定する。このシステムは、例えば、検知ゲート装置１０が設けられた部屋の中に保管されている文書資料（用紙に磁性ワイヤーが漉き込まれている）を誰が持ち出したかを判定するために用いられる。
【００１６】
また、検知ゲート装置１０の入口には進入検知センサー２０が、出口には退出検知センサー２２が設けられている。進入検知センサー２０は検知ゲート装置１０内へ人が進入したことを検知し、退出検知センサー２２は検知ゲート装置１０内から人が退出したことを検知する。進入検知センサー２０及び退出検知センサー２２としては、例えばフォトインタラプタなどのセンサーを用いればよい。進入検知センサー２０の出力は監視カメラ３０に供給され、退出検知センサー２２の出力は検知信号処理装置４０に供給される。
【００１７】
検知ゲート装置１０は、通過者が携帯する物品に取り付けられた磁性体を、大バルクハウゼン効果により検出するゲート装置である。物品に取り付けられた磁性体は、大バルクハウゼン特性を有する細い磁性ワイヤーなどである。検知ゲート装置１０は、平行な一対のゲート壁１０Ａ及び１０Ｂから構成されている。一対のゲート壁１０Ａと１０Ｂとの間が、通過者の通る通路となる。図１では、通過者は検知ゲート装置１０の図中手前側の進入口から奥側の退出口に向かって、矢印に示す進行方向にゲート壁１０Ａと１０Ｂとの間を通過する。ゲート壁１０Ａと１０Ｂとの間隔は、人一人は通れるが２人以上が並んで通ることはできない程度の幅とする。また、進行方向についての検知ゲート装置１０の長さは、縦列に並んだ人が２人なら同時に存在できるが、三人は同時に存在できない程度の長さである。
【００１８】
物品に取り付けられた磁性体を励磁する励磁コイル及び励磁された磁性体を検知する検知コイルは、ゲート壁１０Ａ及び１０Ｂのうちの少なくとも一方に設けられる。
【００１９】
図２に、ゲート壁１０Ａ又は１０Ｂに内蔵された励磁コイル１２と検知コイル１４との配置位置の関係を示す。この図は、各ゲート壁１０Ａ又は１０Ｂを側面方向から見た状態でのコイル同士の配置関係を示している。
【００２０】
励磁コイル１２は、物品に取り付けられた磁性体を励磁するための交番磁界を発生させるためのコイルである。一方、検知コイル１４は、交番磁界を受けた磁性体が磁化反転時に発する磁気パルスを受信するためのコイルである。この例では、検知コイル１４は、励磁コイル１２から発信される交番磁界の電磁誘導による誘導電流を打ち消すように８の字ループ形状をなしているが、これは一例に過ぎない。
【００２１】
図示例では、励磁コイル１２のループはゲート壁１０Ａ及び１０Ｂの進入口側端から退出口側端までのほぼ全幅をカバーしているのに対し、検知コイル１４のループは退出口側の一部分の幅をカバーするのみである。すなわち、この例では、磁性体を励磁できる励磁領域は検知ゲート装置１０の奥行き方向全幅をカバーするのに対し、磁性体を検知できる検知領域は退出口側の一部分の幅しかカバーしない。言い換えれば、退出口側の一部分の幅の範囲Ｂは励磁領域且つ検知領域であるのに対し、進入口側の残りの部分の幅の範囲Ａは励磁領域ではあるが検知領域ではない。
【００２２】
また、図示例では、励磁領域ではあるが検知領域ではない範囲Ａは、縦列に並んだ２人の人が同時には存在できない程度の幅（長さ）である。これに対し励磁領域であり且つ検知領域でもある範囲Ｂの幅は、範囲Ａの幅よりも大きく、縦列に並んだ２人の人が範囲Ｂ内に同時に存在することもあり得る。すなわち、図示例では、先行する通過者Ｘが検知領域の範囲Ｂに入る（すなわち検知コイル１４により検知される）前に、後続の通過者Ｙが励磁領域のみの範囲Ａに入る（すなわち進入検知センサー２０により検知される）ことは起こらない。逆に、先行する通過者Ｘが検知領域の範囲Ｂから退出する（すなわち退出検知センサー２２により検知される）前に、次の通過者Ｙがその範囲Ｂに入ることは起こり得る。
【００２３】
図２の構成では、通過者が進入口側の範囲Ａに入ると、携帯された物品の磁性体が励磁磁場に曝されることになる。したがって、通過者が退出口側の範囲Ｂ（すなわち検知領域）に入る前に磁性体の磁化反転のためのプロセスの少なくとも一部がなされているので、検知領域では従来よりも短い時間で磁性体が検知される。したがって、立て続けに検知ゲート装置１０に進入した２人を切り分けて検知できるための２人の間隔の加減が、従来よりも短くなる。
【００２４】
例えば、通過者が検知領域に入る前に磁性体の磁化反転がなされているようにすることもでき、この場合、検知領域では純粋にその磁化反転の検知に要する時間のみで磁性体が検知される。したがって、それら２人の間隔が検知に要する時間（正確には、検知に要する時間×通過速度）だけ離れていれば、それら２人が切り分けて検知される。
【００２５】
このように、励磁領域を検知領域よりも検知ゲート装置１０の進入口側に大きく設ける配置構成により、検知ゲート装置１０に連続して進入する２人を切り分けて検知するための２人の間隔の下限値が、励磁領域と検知領域が同幅である構成より小さくなる。別の観点から言えば、この構成の場合、励磁領域と検知領域が同幅である構成よりも検知領域の幅を小さくしても、通過する磁性体を検知することができる。
【００２６】
図２のように、励磁コイル１２のカバーする励磁領域をゲート全体とする理由は、共連れする２人のうちの後ろの人の所持している磁性体の磁化反転信号を、検知コイル１４の検知領域外で常時発生させておき、検知領域に入ったと同時に、検知させるためである。一方、検知コイル１４を退出口側に配置した理由は、共連れする２人のうちの後ろの人の所持している磁性体からの磁化反転信号が検出されないようにするためである。
【００２７】
再び図１のシステム構成の説明に戻ると、このシステムには、監視カメラ３０が含まれる。監視カメラ３０は、検知ゲート装置１０の出口側に設けられており、該ゲート装置１０の出口から入口を見る方向に向かって斜め上方から、該ゲート装置１０内を視野に収める。
【００２８】
検知信号処理装置４０は、交番磁界を発生させるための励磁信号を励磁コイル１２に供給すると共に、検知コイル１２の出力信号を処理して、監視カメラ３０に撮影指示を行う。
【００２９】
ここで、励磁信号は極性が短い周期（例えば数ミリ秒から数十ミリ秒）で変化する。大バルクハウゼン効果を有する磁性体が検知コイル１２の領域に存在する場合、検知コイル１２はその周期で生じる磁気反転によるパルス信号を含んだ検出信号を出力する。検知信号処理装置４０は、例えば、微分回路によりパルス信号を抽出し、連続する磁気反転のパルス信号を単安定マルチバイブレータなどの回路により１つの矩形パルスに変換し、パルス幅の短い矩形パルスを除去することでノイズ除去を行う。このような信号処理のための回路としては、例えば特開２００９−１３３７３３号公報に開示されたものを用いればよい。なお、ノイズ除去後の信号は、磁性体が検知領域にある期間はＨ（ハイ）レベルとなり、ない期間はＬ（ロー）レベルとなる信号である。なお、ノイズ除去後の信号のうち、Ｈレベルの期間の信号のことを、大バルクハウゼン信号と呼ぶ。
【００３０】
検知信号処理装置４０は、例えば、そのノイズ除去後の信号の立ち上がりのタイミングで、監視カメラ３０に対して撮影指示の信号を送出する。また、この代わりに、そのノイズ除去後の信号そのものを監視カメラ３０に送り、その信号の立ち上がりのタイミングで監視カメラ３０が撮影を行うようにしてもよい。
【００３１】
また、検知信号処理装置４０が検知コイル１４の出力信号のレベルを監視し、大バルクハウゼン信号が検出されている間でも、その出力信号のレベルが閾値以上上昇した場合に、監視カメラ３０に撮影指示を送るようにしてもよい。例えば、監視対象物品を所持した通過者Ｘが検知領域Ｂからまだ退出していない段階で、監視対象物品を所持した次の通過者Ｙが検知領域Ｂに入ると、検知コイル１４からは、それら２つの物品の磁性体の磁化反転の検出結果が重畳した信号が出力される。この信号は、それまでの通過者Ｘのみの磁性体の磁化反転の検出信号よりも大きいので、その変化を検出した検知信号処理装置４０が監視カメラ３０に撮影指示を行う。これにより、検知領域Ｂ内にいる通過者Ｘ及びＹが撮影される。
【００３２】
監視カメラ３０は、２つのタイミングで撮影を行う。一つは進入検知センサー２０が通過者の進入を検知したタイミングであり、もう一つは前述した検知信号処理装置４０が通過者の持つ磁性体の磁化反転を検知したタイミングである。後者は、検知信号処理装置４０から撮影指示信号が来るタイミング、或いは前述のノイズ除去後の信号の立ち上がりタイミングである。
【００３３】
これら進入及び検知の各タイミングの撮影画像は、画像蓄積装置５０に蓄積される。なお、監視カメラ３０が常時撮影した画像を画像蓄積装置５０に供給し、画像蓄積装置５０が、進入検知センサー２０及び検知画像信号装置４０からタイミング信号を受けた時に供給されている画像を保存するようにしてもよい。
【００３４】
画像蓄積装置５０には、（Ａ）進入検知センサー２０が進入を検知したタイミング、（Ｂ）検知信号処理装置４０が磁化反転を検知したタイミング、のうちのいずれのタイミングで撮影されたものかが区別可能な形で画像が蓄積される。例えば、前者（Ａ）用のフォルダーと後者（Ｂ）用のフォルダーを用意し、画像を対応するフォルダーに蓄積するようにしてもよい。また、前述の２つのうちのいずれのタイミングで撮影された者かを示す情報を画像の属性データとして記録してもよい。また、画像蓄積装置５０には、それら画像が、撮影された時間順序が識別できる形で蓄積される。これには、例えば属性データとして、その画像を撮影した時刻（日時）情報を示す情報を記録するようにすればよい。
【００３５】
所持者特定装置６０は、画像蓄積装置５０に蓄積された画像群に基づき、磁性体付きの物品を携帯して検知ゲート装置１０を通過した通過者の特定、又はその支援を行う。
【００３６】
以下、所持者特定装置６０が実行する処理の一例を説明する。
【００３７】
ここでは、通過者Ｘ及びＹがこの順で連続して（すなわち両者の間に別の人が通過することはない）検知ゲート装置１０を通過する場合を考える。この場合に起こり得る状況は、大バルクハウゼン効果を有する磁性体が付加されている物品（監視対象物品と呼ぶ）を通過者Ｘ及びＹがそれぞれ所持しているか否かで、以下の４つの場合に場合分けされる。
ケースＩ    ：  Ｘは所持、Ｙは非所持
ケースＩＩ  ：  Ｘは所持、Ｙは所持
ケースＩＩＩ：  Ｘは非所持、Ｙは非所持
ケースＩＶ  ：  Ｘは非所持、Ｙは所持
【００３８】
通過者Ｘ及びＹが検知ゲート装置１０に進入してから、この順で検知ゲート装置１０から退出するまでには、Ｘの進入、Ｙの進入、Ｘの検知（Ｘが監視対象物品を所持する場合）、Ｙの検知（Ｙが監視対象物品を所持する場合）、Ｘの退出、Ｙの退出という６つの検知イベントが発生する。ここでは、通過者が進入検知センサー２０で検知されるイベントを「進入」イベント、通過者の所持する監視対象物品が検知コイル１４により検知されるイベントを「検知」イベント、通過者が退出検知センサー２２で検知されるイベントを「退出」イベントと呼ぶ。
【００３９】
「共連れ」の条件は、Ｘの退出イベントの前に、Ｙの進入イベントが発生することである。
【００４０】
ここで、進入検知センサー２０及び退出検知センサー２２が通過者を検知した時刻を、それぞれ、その通過者の「進入時刻」及び「退出時刻」と呼ぶ。また、検知信号処理装置４０が通過者の所持する物品の磁性体の磁化反転を検知した時刻を、当該通過者の「検知時刻」と呼ぶ。
【００４１】
また、監視カメラ３０が進入タイミング及び検知タイミングで撮影した通過者Ｍの画像をそれぞれＡ（Ｍ）及びＢ（Ｍ）と表記する。ここで、画像Ａ（Ｍ）は範囲Ａ（図２参照）にいる通過者Ｍの上半身（又は顔）部分の画像であり、画像Ｂ（Ｍ）は範囲Ｂ（図２参照）にいる通過者Ｍの上半身部分の画像である。なお、監視カメラ３０の視野が検知ゲート装置１０内の範囲Ａ及びＢの全域をカバーしている場合、進入タイミングではその全域の画像から、範囲Ａに対応する部分（より厳密には範囲Ａに人が位置する時の上半身に対応する部分）を切り出したものを画像Ａ（Ｍ）とすればよい。同様に、検知タイミングではその全域の画像から範囲Ｂに対応する部分を切り出したものを画像Ｂ（Ｍ）とすればよい。また、監視カメラ３０が視野（又は視線方向）を変更できるものである場合は、進入タイミングでは範囲Ａに位置する人の上半身を捉え、検知タイミングでは範囲Ｂに位置する人の上半身を捉えるよう視野を切り替えればよい。また、範囲Ａを視野に収める監視カメラと範囲Ｂを視野に収める監視カメラとを用意し、進入タイミングでは前者で、検知タイミングでは後者で撮影を行うようにしてもよい。
【００４２】
なお、図２に例示した励磁コイル１２と検知コイル１４の配置関係の場合、範囲Ａには高々１人の通過者しか存在し得ないのに対し、範囲Ｂには２人の通過者が同時に存在し得る。検知タイミングにおいて、範囲Ｂに通過者Ｍ及びＮの２人が同時に存在したときの検知タイミングの撮影画像をＢ（Ｍ，Ｎ）と表記する。
【００４３】
以下、ケースＩ 、ケースＩＩ、ケースＩＩＩ、ケースＩＶの順に、イベントを分類する。
【００４４】
（１）ケースＩ（Ｘは所持、Ｙは非所持）
範囲Ａには高々１人しか存在できないため、通過者Ｙの進入イベントの前にＸの検知イベントが発生することになる。この場合、時系列に並べた撮影画像のファイル列は、
Ａ(Ｘ)→Ｂ(Ｘ)→Ａ(Ｙ)
となる。Ｙは監視対象物品を所持していないので、検知タイミングの画像Ｂ（Ｙ）は記録されない。
【００４５】
（２）ケースＩＩ（Ｘは所持、Ｙは所持）
以下のイ及びロの２通りが起こりえる。なお、後の説明のために、イベントの間に、Ｘの退出イベントが挟まる部分を二重線の矢印で表記する。
ケースＩＩ-イ：  Ｙの進入イベントの前にＸの検知のイベントが起こり、Ｘの退出イベントの後にＹの検知のイベントが起こる場合、時系列に並べた画像ファイル列は、
Ａ(Ｘ)→Ｂ(Ｘ)→Ａ(Ｙ)⇒Ｂ(Ｙ)
となる。
ケースＩＩ-ロ：  Ｙの進入イベントの前にＸの検知イベントが起こり、Ｘの退出イベントの前にＹの検知のイベントが起こる場合、時系列に並べたファイル列は、
Ａ(Ｘ)→Ｂ(Ｘ)→Ａ(Ｙ)→Ｂ(Ｘ,Ｙ)
となる。Ｘは、画像Ｂ(Ｘ,Ｙ)が撮影された後、検知ゲート装置１０から退出する。
【００４６】
（３）ケースＩＩＩ（Ｘは非所持、Ｙは非所持）
時系列に並べたファイル列は、Ａ(Ｘ)→Ａ(Ｙ)となる。
【００４７】
（４）ケースＩＶ（Ｘは非所持、Ｙは所持）
以下のイ及びロの２通りが起こり得る。
ケースＩＶ-イ：Ｘの退出イベントの後にＹの検知のイベントが発生した場合、時系列に並べたファイル列は、
Ａ(Ｘ)→Ａ(Ｙ)⇒Ｂ（Ｙ）
となる。
ケースＩＶ-ロ：Ｘの退出イベントの前にＹの検知のイベントが発生した場合、時系列に並べたファイル列は、
Ａ(Ｘ)→Ａ(Ｙ)→Ｂ（Ｘ,Ｙ）
となる。
【００４８】
以上、通過者Ｘ，Ｙが検知ゲート装置１０に「共連れ」するケースの各々について、起こり得る撮影画像のファイル列を挙げた。以下、所持者特定装置６０がファイル列から監視対象物品の所持者を特定する方法の一例を説明する。
【００４９】
この方法では、基本的には、検知タイミングの撮影画像Ｂに写っている人を、監視対象物品を所持したまま検知ゲート装置１０を通って部屋から出た人（以下、「所持者」と呼ぶ）と判定する。撮影画像Ｂに写っている人が１人であれば、この方法で所持者が１人に特定される。上述のケース分類のうち以下に列挙するケースでは、そのような基本的な判定により所持者が特定される。
【００５０】
（１）ケースＩ-イ
Ａ(Ｘ)→Ｂ(Ｘ)→Ａ(Ｙ)というファイル列のＢ(Ｘ)よりＸが所持者であることが判定される。
【００５１】
（２）ケースＩＩ-イ
Ａ(Ｘ)→Ｂ(Ｘ)→Ａ(Ｙ)⇒Ｂ(Ｙ)→Ａ(Ｚ)（Ｙの検知タイミングの後、Ｚの進入イベントが生じたものとする）というファイル列のＢ(Ｘ)及びＢ(Ｙ)より、Ｘ及びＹが所持者であることが判定される。
【００５２】
（３）ケースＩＩＩ
Ａ(Ｘ)→Ａ(Ｙ)というファイル列には検知タイミングでの画像Ｂは存在しないので、この共連れイベントには所持者はいないことが判る。
【００５３】
（４）ケースＩＶ-イ
Ａ(Ｘ)→Ａ(Ｙ)⇒Ｂ(Ｙ)→Ａ(Ｚ)というファイル列のＢ(Ｙ)より、Ｙが所持者であることが判定される。
【００５４】
以上は、検知タイミングの撮影画像Ｂに１人しか写っていないケースであった。しかし、ケースＩＶ-ロ、ケースＩＩ-ロという２つのケースでは、検知タイミングの撮影画像Ｂ（Ｘ，Ｙ）に２人の通過者が写っているので、この２人の中から所持者を特定する必要が生じる。このためには、通過者Ｘが退出した直後に、大バルクハウゼン信号が継続して検知されているか否かを判定すればよい。通過者Ｘの退出イベントの後も大バルクハウゼン信号が発生していれば、そのとき検知ゲート装置１０内の検知領域Ｂに存在する人が所持者である。逆に、退出イベントの直後に大バルクハウゼン信号が発生していない場合は、そのとき検知ゲート装置１０内の検知領域に存在する人は所持者でなく、したがって退出した人が所持者であることが判る。なお、この場合において、Ｘの退出の直後に、別の所持者Ｚが検知ゲート装置１０に進入したとしても、大バルクハウゼン信号の発生には影響しない。
【００５５】
以上のような判定のために、検知信号処理装置４０は、退出検知センサー２２から退出検知信号を受け取ると、内部の信号処理回路を一時的にリセットする。前述したノイズ除去後の信号はそれまでＨレベルであったが、このリセットによりいったんＬ（ロー）レベルに下がる。その後信号処理回路は検知コイル１４からの検知信号を処理することになる。これにより、検知コイル１４がリセット後に磁気反転を検知した場合には、信号処理回路が生成するノイズ除去後の信号は再びＨレベルとなる。その信号の立ち上がりのタイミングで監視カメラ３０は撮影を行う。したがって、Ｘの退出後においても大バルクハウゼン信号が継続検知される場合（すなわち、後続の通過者Ｙが監視対象物品を所持している場合）には、検知領域Ｂ内に存在するＹの画像Ｂ(Ｙ)が監視カメラ３０により撮影される。
【００５６】
逆に、Ｘの退出後に検知領域Ｂ内に残るＹが非所持者である場合、信号処理回路の生成する信号はリセットの後はＬレベルのままとなる。したがって、検知領域Ｂ内にＹのみが写った画像は撮影されない。
【００５７】
以下、ケースＩＶ-ロ、及びケースＩＩ-ロの各々の場合について説明する。
【００５８】
（５）ケースＩＶ-ロの場合
通過者Ｘの退出の直後に大バルクハウゼン信号が継続検知されるので、Ｂ(Ｙ)が生成される。したがって、撮影される画像の時系列は以下のようになる。
Ａ(Ｘ)→Ａ(Ｙ)→Ｂ（Ｘ,Ｙ）⇒Ｂ(Ｙ)
これらの画像を見ることで、画像Ｂ(Ｘ,Ｙ)は、Ｙが所持する磁性体がトリガーになって撮影されていたことが判定できる。なぜならば、仮にＸが所持者であれば、検知領域ＢにまずＸのみがいる（Ｙはいない）画像Ｂ（Ｘ）が記録されているはずであるからである。なお、上述の画像Ｂ(Ｘ,Ｙ)は、通過者Ｘ（非所持）とＹ（所持）とが図３に例示する位置関係にあるときに撮影されたものである。このときＹは磁性体が付加された監視対象物品１００を所持しており、この物品１００が検知領域Ｂ内に入ったことにより、監視カメラ３０により撮影が行われる。
【００５９】
（６）ケースＩＩ-ハ
通過者Ｘの退出の直後に大バルクハウゼン信号が継続検知されるので、Ｂ(Ｙ)が生成される。したがって、撮影される画像の時系列は以下のようになる。
Ａ(Ｘ)→Ｂ(Ｘ)→Ａ(Ｙ)→Ｂ(Ｘ,Ｙ）⇒Ｂ(Ｙ)
この場合、画像Ｂ(Ｘ)によりＸが所持者であることが分かり、上記系列の最後の画像Ｂ(Ｙ)によりＹも所持者であることが判る。
【００６０】
以上、２人が共連れした場合でも、その２人のいずれが所持者であるかを判定する方法を例示した。
【００６１】
このような判定のために、所持者特定装置６０は、進入タイミングや検知タイミングの画像Ａ，Ｂから通過者の顔を認識し、その顔から通過者が誰であるかを識別する機能を有していてもよい。このような顔の識別手法は従来から存在しており、そのような従来の手法を用いればよい。例えば、この機能のために、各人の顔をあらかじめ撮影し、その画像から顔の画像特徴を抽出してデータベース化しておく。このデータベースを顔特徴データベースと呼ぶことにする。顔の画像特徴としては、例えば目や鼻といった特徴的な部位の形状やそれら特徴的な部位同士の相対位置関係といった幾何学的特徴や、顔表面の色や濃淡の分布などといったパターン分布特徴がある。撮影され蓄積された画像Ａ又はＢに写っている人物を特定するには、まずその画像から顔領域の画像部分の切り出しを行う。次に、顔領域の画像に対し大きさや傾き、輝度の正規化を行い、正規化後の画像からその顔の画像特徴を抽出する。そして、抽出した顔の画像特徴と、顔特徴データベースに登録された各人の画像特徴とを照合することで、蓄積された画像Ａ又はＢに写っている人物を特定する。
【００６２】
所持者特定装置６０は、ユーザーから検索期間の入力を受け付けてもよい。これには、例えば、ユーザーに検索期間の始期ｔsと終期ｔeの日時を入力させてもよいし、画像蓄積装置に蓄積された画像群を時系列順に一覧表示し、その中から検索期間の始期と終期の画像をユーザーに入力させてもよい。検索期間が指定された場合、画像蓄積装置５０に蓄積した画像群のうち、その検索期間に含まれる画像の中から、監視対象物品の所持者を特定する。この特定のための処理手順の例を、図４に示す。
【００６３】
図４の手順では。まずユーザーが所持者特定装置６０に対し、検索期間Ｐ[ｔs,ｔe]を設定（入力）する（Ｓ１０）。すると、所持者特定装置６０は、画像蓄積装置５０から、撮影の日時又は時系列順序がその期間Ｐに含まれる画像を取り出し、時系列順に並べた画像ファイル列を形成する（Ｓ１２）。これら時系列順の画像ファイルをＦ（ｔ1）〜Ｆ（ｔn）と表記する。ｔ1,ｔ2，・・・ｔnは画像の撮影時刻であり、ｔs≦ｔ1＜ｔ2＜…＜ｔn≦ｔeの関係を満たす。なお、それら画像Ｆは、画像蓄積装置５０内で、進入タイミングの画像（Ａ画像と呼ぶ）と、検知タイミングの画像（Ｂ画像と呼ぶ）とに分類されている。
【００６４】
次に画像蓄積装置５０から、時刻ｔ1の直前のＡ画像とＢ画像を２つずつ取り出し、画像ファイル列の先頭Ｆ（ｔ1）の前に時系列順に追加する（Ｓ１４）。また、画像蓄積装置５０から、時刻ｔnの直後のＡ画像とＢ画像を２つずつ取り出し、画像ファイル列の末尾Ｆ（ｔn）の後に時系列順に追加する（Ｓ１６）。このように、検索期間の前後の画像をファイル列に追加するのは、検索期間の始期及び終期に生じた共連れイベントの見落としをなくすためである。
【００６５】
次に、所持者特定装置６０は、画像ファイル列の先頭にＡ画像が現れるまで、そのファイル列の先頭から順に画像ファイルを１つずつ削除する（Ｓ１８）。これにより、先頭がＡ画像である画像ファイル列Ｓが生成される。
【００６６】
次に、所持者特定装置６０は、画像ファイル列Ｓの先頭から順に画像ファイルを調べ、Ｂ画像を探す（Ｓ２０）。Ｂ画像を見つけると、顔認識技術（例えば前述の手法）により、そのＢ画像中に写る人物を特定し、（例えばその人物の識別情報を）記憶する（Ｓ２２）。そのＢ画像中から認識された人物の集合を集合αと呼ぶ。次に、所持者特定装置６０は、そのＢ画像の直前のＡ画像に写る人物を顔認識技術により特定し、特定した人物の集合βを記憶する（Ｓ２４）。
【００６７】
そして、所持者特定装置６０は、集合αと集合βとの両方に含まれる人物があれば、その人物（例えばその人物の識別情報）を所持者リストに追加する（Ｓ２６）。なお、所持者リストには、人物の識別情報に対応づけて、その人物が写っていたＢ画像（ステップＳ２２で検出された）の撮影時刻を登録する。
【００６８】
そして、所持者特定装置６０は、画像ファイル列Ｓの残りを順に探索し、次のＢ画像を探す（Ｓ２６）。次のＢ画像が見つかれば（Ｓ３０）、ステップＳ２２〜Ｓ２８の処理を繰り返す。ステップＳ２８で次のＢ画像が見つからなくなると（Ｓ３２）、この処理手順を終了する。
【００６９】
以上の処理において、例えば、Ａ(Ｘ)→Ｂ(Ｘ)→Ａ(Ｙ)→Ｂ(Ｘ,Ｙ) ⇒Ａ(Ｚ) →Ｂ(Ｙ)の画像ファイル列より、各画像ファイルに写った人物の識別情報（例えば氏名など）を特定し、進入イベント（Ｘ）→検知イベント(Ｘ)→進入イベント(Ｙ)→検知イベント(Ｘ,Ｙ) →進入イベント (Ｚ) →検知イベント(Ｙ)などというように、各人と対応させて、イベントの種類を時系列的に並べたログを作成してもよい。
【００７０】
次に、具体的な事例を挙げて、上述の処理手順がどのように実行されるのかを説明する。ここでは、具体的な事例として、Ｘ(所持者)とＹ(非所持者)とによるケースＩ-イの共連れが発生したのち、Ｚ1からＺ8まで非所持者の侵入が続いた後、Ｚ9（所持者）の単発（共連れでない）の進入があり、その後、Ｋ(非所持者)とＬ（所持者）のケースＩＶ-ロの共連れイベントが発生し、その後Ｚ10が進入したものとする。
【００７１】
このような一連の流れにより、以下に示すような画像ファイルの時系列が画像蓄積装置５０に蓄積されることになる。すなわち、Ａ(Ｘ)→Ｂ（Ｘ）→Ａ(Ｙ)→Ａ(Ｚ1) →Ａ(Ｚ2) →… →Ａ(Ｚ8) →Ａ(Ｚ9) →Ｂ（Ｚ9）→Ａ(Ｋ)→Ａ(Ｌ)→Ｂ（Ｋ,Ｌ）→Ｂ(Ｌ)→Ａ(Ｚ10)という時系列である。
【００７２】
このような画像ファイル群が画像蓄積装置５０内に蓄積されているときに、図４の処理手順による処理がどのように実行されるかを以下に例示する。
【００７３】
まず、ユーザがステップＳ１０で指定した検索期間Ｐ[ｔs, ｔe]の始期ｔsがＢ（Ｘ）の撮影時刻以降且つＡ（Ｙ）の撮影時刻以前であり、終期ｔeがＡ（Ｚ9）の撮影時刻以降且つＢ（Ｚ9）の撮影時刻以前であったとする。
【００７４】
この場合、ステップＳ１２で得られる時系列順の画像ファイル列は、Ｂ（Ｘ）→Ａ(Ｙ)→Ａ(Ｚ1) →Ａ(Ｚ2) →…. →Ａ(Ｚ8) →Ａ(Ｚ9)となる。これは、先頭の共連れイベントが切断され、後尾の単一者の検知イベントが切断されている形になる。
【００７５】
ステップＳ１４では、Ｂ（Ｘ）の直前のＡ画像及びＢ画像のファイルをそれぞれ２個ずつ過去に遡って選択し、画像ファイル列に追加する。これにより、画像ファイル列にはＡ(Ｘ)が含まれるので、先頭の共連れイベントに関わる画像はすべて取り込まれる。
【００７６】
一方、ステップＳ１６では、画像ファイル列の最後尾Ａ(Ｚ9)のあとに、Ａ画像及びＢ画像のファイルをそれぞれ２個ずつ未来に繰り上げて選択し、追加する。これにより、画像ファイル列にはＢ(Ｚ9)が含まれることとなり、所持者Ｚ9に関わる画像はすべて取り込まれる。
【００７７】
以上の処理の結果、Ａ(Ｘ)→Ｂ(Ｘ)→Ａ(Ｙ)→Ａ(Ｚ1)→Ａ(Ｚ2)→…→Ａ(Ｚ8)→Ａ(Ｚ9) →Ｂ（Ｚ9）→Ａ(Ｋ)→Ａ(Ｌ)→Ｂ（Ｋ,Ｌ）という画像ファイル列が得られる。この画像ファイル列には、指定された期間Ｐ内で発生するイベントに関わる画像の取りこぼしがない。
【００７８】
次に、ステップＳ１８で、その画像ファイル列の先頭からスキャンをはじめ、先頭にＢ画像があるときはそのＢ画像はファイル列から除去する。この例では、先頭がＡ（Ｘ）なので何もしない。これにより、その画像ファイル列がそのままファイル列Ｓとなる。
【００７９】
次に、ステップＳ２０で、ファイル列Ｓの先頭から順にＢ画像を探すと、最初にＢ(Ｘ)が検出される。ステップＳ２２で、このＢ(Ｘ)に対し公知の顔認識技術を適用することで、そのＢ（Ｘ）に写る人物を特定する。本例では、Ｘが特定される。次に、ステップＳ２４では、Ｂ(Ｘ)の一つ前のＡ画像であるＡ(Ｘ)に写っている人物Ｘが特定される。そして、ステップＳ２６では、ステップＳ２２で特定された人物とステップＳ２４で特定された人物がともにＸのみであり一致するので、そのＸが所持者リストに登録される。
【００８０】
そして、ステップＳ２８及びＳ３０で、ファイル列Ｓから次のＢ画像であるＢ(Ｚ9)が検出される。そこから特定される人物はＺ9であり（Ｓ２２）、その一つ前のＡ画像で特定される人物はＺ9であり（Ｓ２４）、上記同様、Ｚ9が所持者リストに登録される（Ｓ２６）。
【００８１】
そして、更にステップＳ２８及びＳ３０で、ファイル列Ｓから次のＢ画像であるＢ(Ｋ,Ｌ)が見つかり、そこから人物Ｋ,Ｌが特定され（Ｓ２２）、その直前の画像Ａ(Ｌ)から人物Ｌが特定される（Ｓ２４）。そして、それら両画像に共通する人物Ｌが所持者リストに登録される（Ｓ２６）。
【００８２】
以上のようにしてユーザーから指定された検索期間Ｐにおいて、監視対象物品を持ち出した人物が、所持者リストに含まれることになる。この所持者リストを、ユーザー（監視対象物品の管理者など）に提示（例えば画面表示）してもよい。
【００８３】
また、例えば、指定された検索期間についての所持者リストにあらかじめ定めた回数以上現れる人物を、要注意人物として監視対象物品の管理者などに提示してもよい。この場合管理者は、例えば要注意人物の荷物チェックをすることで、不正行為を警告することも出来る。不正行為は常習性を持つ傾向があるので、一回の行為で警報を出し検知事実を知らしめるよりも、警告を出さずに不正行為履歴を蓄積し、証拠固めを持って警告するようにしてもよい。
【００８４】
また、以上の処理において、所持者特定装置６０が、所持者リストに登録した人物とＢ画像中で共連れ状態で撮影された人物を、別のリスト（共連れリストと呼ぶ）に記憶するようにしてもよい。そして、当人自身は所持者リストに登録されていなくても、共連れリストにあらかじめ定められた回数以上現れる人物を、共同不正行為の可能性がある人物として管理者に提示してもよい。
【００８５】
以上に例示したシステムにおける所持者特定装置６０は、例えば、汎用のコンピュータに上述の各機能モジュールの処理を表すプログラムを実行させることにより実現される。ここで、コンピュータは、例えば、ハードウエアとして、ＣＰＵ等のマイクロプロセッサ、ランダムアクセスメモリ（ＲＡＭ）およびリードオンリメモリ（ＲＯＭ）等のメモリ（一次記憶）、ＨＤＤ（ハードディスクドライブ）コントローラを経由して接続されたＨＤＤ、各種Ｉ／Ｏ（入出力）インタフェース等が、バスを介して接続された回路構成を有する。バスには、ローカルエリアネットワーク等のネットワークに接続するためのネットワークインタフェースが接続されていてもよい。また、そのバスに対し、例えばＩ／Ｏインタフェース経由で、ＣＤやＤＶＤなどの可搬型ディスク記録媒体に対する読み取り及び／又は書き込みのためのディスクドライブ、フラッシュメモリなどの各種規格の可搬型の不揮発性記録媒体に対する読み取り及び／又は書き込みのためのメモリリーダライタなどが接続されてもよい。上に例示した各機能モジュールの処理内容が記述されたプログラムがＣＤやＤＶＤ等の記録媒体を経由して、又はネットワーク等の通信手段経由で、ハードディスクドライブ等の固定記憶装置に保存され、コンピュータにインストールされる。インストールされたプログラムがＲＡＭに読み出されＣＰＵ等のマイクロプロセッサにより実行されることにより、上に例示した装置の機能が実現される。
【符号の説明】
【００８６】
１０  検知ゲート装置、１０Ａ，１０Ｂ  ゲート壁、１２  励磁コイル、１４  検知コイル、３０  監視カメラ、４０  検知信号処理装置、５０  画像蓄積装置、６０  所持者特定装置。
【図１】
2011028357.tif 000003
【図２】
2011028357.tif 000004
【図３】
2011028357.tif 000005
【図４】
2011028357.tif 000006